(57)【要約】【課題】蓋部材を収納部材から外れ難くさせると共に確実に開閉作業が行われたことをユーザが確認することができるようにする。【解決手段】一端が開放され、その周囲に口部４を有する収納部材２と、口部４と重なり合う蓋部材３と、からなっている。そして、蓋部材３の内周面には、複数の突起２３からなる突起部２２を設けた。また、収納部材２の口部４の外周面には、複数の突起２３が着脱可能に係止される係止部１４を設けた。さらに、収納部材２の口部４の外周面には、口部４の開放端部８に対して傾斜し、かつ複数の突起２３を係止部１４に案内する複数のガイド１６からなるガイド部１３を設けた。【選択図】図１
2010023910.tif 000002
【特許請求の範囲】
【請求項１】
一端が開放され、その周囲に口部を有する収納部材と、
前記口部に重なり合う蓋部材と、からなる収納容器において、
前記蓋部材の内周面に設けられた複数の突起からなる突起部と、
前記収納部材の口部の外周面に設けられ、前記複数の突起が着脱可能に係止される係止部と、
前記収納部材の口部の外周面に設けられ、前記口部の開放端部に対して傾斜し、かつ前記複数の突起を前記係止部に案内する複数のガイドからなるガイド部と、
を備えたことを特徴とする収納容器。
【請求項２】
前記口部は、略円筒形状に形成されており、
前記蓋部材は、略円形状の上面部と、前記上面部の外縁から略垂直をなして連続し、且つ前記口部と重なり合うときに前記口部の外周面を覆う側面部とから構成され、
前記突起部は、前記複数の突起を所定の個数ごとに等間隔に配置した
ことを特徴とする請求項１に記載の収納容器。
【請求項３】
前記係止部は、前記ガイド部の前記ガイドを切り欠くことにより前記ガイドと一体に形成された
ことを特徴とする請求項１又は２に記載の収納容器。
【請求項４】
前記複数のガイドは、前記口部の外周面から外側に突出する突条であり、前記口部の開放端部側の一端が略半球状に形成されている
ことを特徴とする請求項１〜３のいずれかに記載の収納容器。
【発明の詳細な説明】
【技術分野】
【０００１】
本発明は、収納部材とこの収納部材に重なり合う蓋部材からなる収納容器に関し、特に蓋部材と収納部材の開閉構造に関するものである。
【背景技術】
【０００２】
従来の収納容器の開閉構造としては、例えば、特許文献１に記載されているようなものがある。特許文献１には、構成部材に設けた螺子のような断面隆起状部を互いに摩擦係止させて締結させる締結装置に関するものが記載されている。
【０００３】
この特許文献１に開示されている締結装置は、２つの構成部材を備え、一方の構成部材に対して他方の構成部材が所定の位置関係を保持している。そして、一方の構成部材には、所定のリード角を有する少なくとも２個の断面隆起状部が設けられている。また、他方の構成部材には、一方の構成部材に設けた断面隆起状部が係止される少なくとも２個の断面隆起状部が設けられている。他方の構成部材に設けた少なくとも２個の断面隆起状部のうち少なくともの１個の断面隆起状部は、一方の構成部材に設けた断面隆起状部のリード角とは異なったリード角を有している。
【０００４】
そして、両構成部材を互いに対向して接近するように移動させることで、リード角の異なった断面隆起状部が摩擦係止する。このようにして特許文献１に記載されている締結装置は、２つの構成部材を一体に固定している。
【特許文献１】特開２００４−１２５０６９号公報
【発明の開示】
【発明が解決しようとする課題】
【０００５】
特許文献１に記載された締結装置の締結方法は、異なるリード角を有する断面隆起状部を摩擦係止することで２つの構成部材を締結している。そのため、この締結装置を液状の化粧品等を収納する収納部材と蓋部材とからなる収納容器に用いた場合、断面隆起状部に液状の化粧品等が付着すると、断面隆起状部の摩擦係数が低下する。その結果、特許文献１に記載された締結装置の締結方法では、係止摩擦している断面隆起状部が滑り、蓋部材が収納部材から外れるおそれがある、という問題がある。
【０００６】
また、特許文献１に記載された締結装置では、締結したときに、クリック感やクリック音が発生しない。そのため、ユーザは、開閉作業が確実に行われていることを確認することができない。その結果、特許文献１に記載された締結装置では、蓋部材と収納部材の締結が不十分な状態で係止作業が終了するおそれがあると共にユーザに対して不安感を与える、という不具合がある。
【０００７】
本発明の目的は、上述の問題点を考慮し、蓋部材を収納部材から外れ難くさせると共に確実に開閉作業が行われたことをユーザが確認することができる収納容器を提供することにある。
【課題を解決するための手段】
【０００８】
上述課題を解決し、本発明の目的を達成するため、本発明の収納容器は、一端が開放され、その周囲に口部を有する収納部材と、口部に重なり合う蓋部材と、からなっている。そして、蓋部材の内周面に設けられた複数の突起からなる突起部と、収納部材の口部の外周面に設けられ、複数の突起が着脱可能に係止される係止部と、収納部材の口部の外周面に設けられ、口部の開放端部に対して傾斜し、かつ複数の突起を前記係止部に案内する複数のガイドからなるガイド部と、を備えた。
【発明の効果】
【０００９】
本発明の収納容器によれば、蓋部材と収納部材を取り付ける際に、突起部と係止部が係止することにより、収納部材から蓋部材を外れ難くすることができる。また、係止するとき及び係止を解除するときに、クリック感やクリック音が発生するため、ユーザは、このクリック感やクリック音により蓋部材と収納部材の開閉作業が確実に行われていることを確認することができる。
【発明を実施するための最良の形態】
【００１０】
以下、本発明の収納容器の実施形態の例について、図１〜図５を参照して説明する。なお、各図において共通の部材には、同一の符号を付している。また、本発明は、以下の形態に限定されるものではない。
【００１１】
１．実施の形態例
［収納容器の構成例］
まず、図１〜図５を参照して本発明の収納容器の実施形態の例について説明する。図１は本発明の収納容器の第１の実施形態の例（以下、「本例」という。）を示す分解斜視図、図２は収納容器の斜視図、図３は収納容器の断面図である。
【００１２】
図１〜図３に示す本例に係る収納容器１は、例えば液状の化粧品を収納する液体化粧料容器である。収納容器１は、一面が開口された容器状の収納部材２と、この収納部材２の開口を閉じるように重なり合う蓋部材３とから構成されている。そして、図２に示すように、この収納容器１は、蓋部材３を収納部材２に重ね合わせた状態で中空の略円柱形状をなしている。
【００１３】
［収納部材］
収納部材２は、中空の略円柱形に形成されており、一端が開放されて、他端が閉じている。収納部材２は、略円筒状の口部４と、口部４から連続して設けられた収納部６と、収納部６の周囲を覆う脚部７から構成されている。
【００１４】
口部４は、略円筒状に形成されている。口部４は、軸方向の一端に開放端部８を有し、軸方向の他側に段差部１１を有している。開放端部８は、その端面を一周するように溝部１２が連続して形成されている。溝部１２は、断面形状が略三角形状になるように凹んでいる。そして、口部４における段差部１１と開放端部８の間に、ガイド部１３と、係止部１４が配設されている。
【００１５】
ガイド部１３は、略等間隔で、且つ略等角度に配置された第１のガイド片群１３Ａと第２のガイド片群１３Ｂから構成されている。第１のガイド片群１３Ａは、口部４の周方向に沿って略等間隔を開けて配置されたガイドの一具体例を示す４つのガイド片１６ａ，１６ｂ，１６ｃ，１６ｄを有している。同様に、図に現れない第２のガイド片群１３Ｂは、口部４の周方向に沿って略等間隔を開けて配置された４つのガイド片１６ａ，１６ｂ，１６ｃ，１６ｄを有している。
【００１６】
ガイド片１６ａ〜１６ｄは、それぞれ同一の構成を有するものであるため、ここでは、第１のガイド片１６ａについて説明する。ガイド片１６ａは、開放端部８に対し所定の角度をもって傾斜した突条であり、段差部１１から開放端部８の近傍まで延在している。ガイド片１６ａは、正面から見て右側に傾いて形成されている。なお、ガイド片１６ａは、角部が面取りされており、断面形状が略台形状に形成されている。更に、ガイド片１６ａの開放端部８側である長手方向の一端は、略半球状に形成されている。
【００１７】
また、このガイド片１６ａは、正面から見て右側面に第１のガイド面部１７ａと、左側面に第２のガイド面部１７ｂを有している。第１のガイド面部１７ａの略中央には、係止部１４が設けられている。そして、係止部１４は、第１のガイド面部１７ａを第２のガイド面部１７ｂ側に向けてフック状に切り欠くことにより形成されている。このように、本例では、係止部１４とガイド片１６ａを一体に形成している。これに対し、第２のガイド面部１７ｂの略中央には、押圧面１８が設けられている。押圧面１８は、第２のガイド面部１７ｂにおける隣り合うガイド片１６ｂに設けた係止部１４と対応する位置に配置されている。そして、押圧面１８は、第２のガイド面部１７ｂから第１のガイド面部１７ａと反対方向に張り出すことで形成されている。
【００１８】
即ち、本例の収納容器１は、ガイド片１６ａの傾いた方向に位置する側面（第１のガイド面部１７ａ）に係止部１４を設けており、ガイド片１６ａの傾いた方向と反対方向に位置する側面（第２のガイド面部１７ｂ）に押圧面１８を設けている。なお、係止部１４及び押圧面１８を設ける位置は、ガイド片１６ａの傾きの方向に応じて適宜設定されるものである。
【００１９】
図３Ａ及び図３Ｃに示すように、口部４の段差部１１の下側に、収納部６が配置されている。収納部６は、口部４の開放端部８と反対方向に略半球状に膨出し、中空のドーム状に形成されている。この収納部６と口部４で形成する空間に、例えば、液状の化粧品等の被収納物が貯留される。そして、収納部６の外周を覆うように略円筒状の脚部７が配設されている。脚部７は、口部４の段差部１１の下側から連続して形成されている。そして、この脚部７は、落下等の外部からの衝撃力を吸収することが可能である。その結果、脚部７によって、収納部６が外部からの衝撃力で破損することを防止し又は抑制することができる。そして、このような構成を有する収納部材２に蓋部材３が取り付けられる。
【００２０】
［蓋部材］
蓋部材３は、中空の略円柱形状をなしており、一端が開放されて、他端が閉じている。蓋部材３は、略円盤状の上面部３ａと、上面部３ａの外縁から略垂直をなして連続する側面部３ｂを有している。そして、側面部３ｂは、円筒状に形成されている。蓋部材３は、側面部３ｂの直径が収納部材２の口部４の直径と略等しく、或いは僅かに大きくなるように設定されている。これにより、図２及び図３Ａに示すように、蓋部材３を収納部材２に重ね合わせたときに、蓋部材３の側面部３ｂが収納部材２の口部４の外周を覆うように口部４と重なり合う。
【００２１】
蓋部材３の上面部３ａの内面には、側面部３ｂの近傍に沿って円環状に配置された凸条部２１が設けられている。凸条部２１は、断面形状が略三角形状に形成されており、上面部３ａの内面から下方に向けて突出している。そして、この凸条部２１は、蓋部材３を収納部材２に重ね合わせたときに、口部４の開放端部８に設けた溝部１２と嵌合する。これにより、蓋部材３と収納部材２との密閉性を高めることができる。
【００２２】
なお、本例では、蓋部材３と収納部材２との密閉性を高めるために、収納部材２に溝部１２を設けると共に蓋部材３に溝部１２と嵌合する凸条部２１を設けた例を説明した。しかしながら、例えば、蓋部材３の上面部３ａの内面に、略円盤状のシリコンゴムを貼り付けてもよい。これにより、蓋部材３を収納部材２に重ね合わせた際には、収納部材２の開放端部８が蓋部材３のシリコンゴムに押し込まれる。このような構成によっても、蓋部材３と収納部材２との密閉性を高めることが可能である。
【００２３】
また、側面部３ｂの内周面には、突起部２２が設けられている。突起部２２は、側面部３ｂの内周面に沿って略等間隔で、且つ中心に対してそれぞれ略等間隔に配置された４つの突起群２２Ａ，２２Ｂ，２２Ｃ，２２Ｄから構成されている。４つの突起群２２Ａ〜２２Ｄは、それぞれ所定の間隔を開けて配置された４つの突起２３ａ，２３ｂ，２３ｃ，２３ｄを有している。なお、４つの突起２３ａ〜２３ｄにおける隣り合う突起２３の間隔は、ガイド部１３の隣り合うガイド片１６の間隔よりもやや小さく、且つ１つのガイド片１６の幅と略同一になるように設定されている。突起２３ａ〜２３ｄは、それぞれ略円錐台形状に形成されている。そして、この突起部２２は、蓋部材３を収納部材２に重ね合わせたときに、収納部材２に設けたガイド部１３によって係止部１４までガイドされて、係止部１４に着脱可能に係止される。
【００２４】
なお、本例では、突起部２２を複数の突起２３からなる突起群２２Ａ〜２２Ｄに分けて蓋部材３に配置している。これにより、蓋部材３における側面部３ｂの内側の全周に亘って突起２３を設けた場合よりも、蓋部材３を射出成型で形成する際に、蓋部材３を金型から外し易くすることができる。また、上述したガイド部１３においても、複数のガイド片１６からなるガイド片群に分けて収納部材２に配置している。その結果、蓋部材３と同様に、収納部材２の口部４の全周に亘ってガイド片１６を設けた場合よりも、収納部材２を射出成型で形成する際に、収納部材２を金型から外し易くすることが可能となる。
【００２５】
このような構成を有する収納部材２及び蓋部材３は、例えば、高分子材料からなるエンジニアリングプラスチック等を射出成型することにより形成される。なお、収納部材２及び蓋部材３の材質としては、エンジニアリングプラスチックが好適であるが、エンジニアリングプラスチック以外に金属やガラス等を用いてもよいことは勿論である。
【００２６】
［開閉動作の説明］
次に、図４及び図５を参照して、このような構成を有する収納容器１における収納部材２と蓋部材３の開閉動作について説明する。図４は、蓋部材を収納部材に重ね合わせるときの動きを説明する説明図、図５は、蓋部材と収納部材の要部を拡大して示す説明図である。
まず、図４Ａに示すように、収納部材２における口部４の開放端部８の上方に、蓋部材３における側面部３ｂの開放側を臨ませる。次に、蓋部材３を収納部材２の開口を閉じるように重ね合わせる。
【００２７】
ここで、４つの突起２３ａ〜２３ｄにおける隣り合う突起２３の間隔は、４つのガイド片１６ａ〜１６ｄにおける隣り合うガイド片１６の間隔よりもやや小さく、且つ１つのガイド片１６の幅と略同一になるように設定されている。これにより、図４Ａに示すように、隣り合う２つのガイド片１６，１６の間に、２つの突起２３，２３が入り込む。なお、本例では、どのガイド１６片と突起２３の関係も同一であるため、第２及び第３のガイド片１６ｂ，１６ｃの間に入り込んだ第１及び第２の突起２３ａ，２３ｂの動きについて説明する。また、４つのガイド片１６ａ〜１６ｄの開放端部８側の一端は、略半球状に形成されている。これにより、４つの突起２３ａ〜２３ｄが、ガイド片１６の端部に引っ掛かることなく、スムースにガイド片１６の間に入り込むことができる。
【００２８】
蓋部材３を収納部材２側に押し込むと、第２の突起２３ｂが収納部材２における第３のガイド片１６ｃの第２のガイド面部１７ｂに当接する。そして、第２の突起２３ｂは、第３のガイド片１６ｃの第２のガイド面部１７ｂに沿って収納部材２の段差部１１側に摺動する。ここで、第３のガイド片１６ｃは、開放端部８に対して所定の角度をもって傾斜している。そのため、蓋部材３は、突起部２２がガイド部１３に沿って摺動することで、ガイド片１６の傾斜に沿って収納部材２に対して回動する（本例では、右回りに回動する）。
【００２９】
次に、図４Ｂ及び図５Ａに示すように、蓋部材３の第２の突起２３ｂが第３のガイド片１６ｃの第２のガイド面部１７ｂに設けた押圧面１８に当接する。この状態で、更に蓋部材３を押し込むと、図４Ｃに示すように、第２の突起２３ｂが、第３のガイド片１６ｃの押圧面１８に押圧されて、蓋部材３が更に回動する。そして、４Ｄ及び図５Ｂに示すように、第１の突起２３ａが、第２のガイド片１６の第１のガイド面部１７ａに設けた係止部１４と着脱可能に係止される。これにより、蓋部材３と収納部材２の閉蓋作業が完了し、蓋部材を収納部材に取り付けることができる。
【００３０】
ここで、ガイド片１６の角部は、それぞれ面取りされており、突起２３は、略円錐台形状に形成されている。これにより、図４Ｃに示すように、第２の突起２３ｂが第３のガイド片１６ｃの押圧面１８における面取り面に乗り上がることで、第１の突起２３ａと係止部１４の係止作業をスムースに行うことができる。また、第１の突起２３ａと係止部１４を係止するときに、クリック感やクリック音が発生する。このクリック感やクリック音によって、ユーザは、蓋部材が収納部材に係止されたことを確認することができる。
【００３１】
また、蓋部材３の突起部２２が収納部材２に設けた係止部１４に係止されることで、蓋部材３と収納部材２の締結力を高めることが可能となる。これにより、収納部材の口部や蓋部材の側面部に液状の収納物が付着したり、外部からの衝撃力の入力等によって、蓋部材が緩むことを防止し又は抑制することができる。
【００３２】
更に、本発明の収納容器１によれば、蓋部材３を収納部材２に対して押し込むことで蓋部材３に設けた突起部２２が収納部材２に設けたガイド部１３によって係止部１４までガイドされるようになっている。その結果、蓋部材３を収納部材２に対して上方から押し込むだけで、で簡単に取り付けることができる。
【００３３】
なお、図３Ａ及び図５Ｂに示すように、蓋部材３の突起部２２が収納部材２の係止部１４に係止されると、蓋部材３に設けた凸条部２１が収納部材２に設けた溝部１２と嵌合する。これにより、蓋部材３と収納部材２との密閉性を高まることができる。
【００３４】
次に、収納部材２から蓋部材３を取り外す場合は、蓋部材３を収納部材２に対して左回りに回動させて、突起部２２と係止部１４の係止を解除し、蓋部材３を持ち上げる。このとき、突起２３がガイド片１６の押圧面１８を乗り越える際にクリック感やクリック音が発生する。これにより、蓋部材３を取り外す場合おいてもクリック感やクリック音が発生するため、ユーザは、蓋部材３と収納部材２の係止が解除されたことを確認することができる。そして、蓋部材３を収納部材２のガイド片１６の傾斜に沿って回動させることで、極めて容易に収納部材２から蓋部材３を取り外すことが可能である。
【００３５】
なお、本例では、突起群を４つの突起から構成した例を説明したが、突起群を構成する突起の数は、５つ以上或いは少なくとも２つあればその目的を達成できるものである。また、突起部を複数の突起からなる４つの突起群から構成した例を説明したが、突起部を構成する突起群の数は、少なくとも１つあればよい。なお、蓋部材を収納部材にバランスよく取り付けるために、突起群を略角度間隔に３つ配置することが好ましい。更に、複数の突起を蓋部材の側面部の全周に亘って所定の間隔を開けて配置することで突起部を構成するようにしてもよい。
【００３６】
また、ガイド部を、複数のガイド片からなる２つのガイド片群に分けて構成した例を説明したが、ガイド片群の数を３つ以上或いは１つだけ設けてもその目的を達成できるものである。また、ガイド片群を構成するガイド片の数を４つとしたが、ガイド片群を構成するガイド片は、５つ以上或いは少なくとも２つあればよい。更に、複数のガイド片を収納部材の口部の全周に亘って所定の間隔を開けて配置することでガイド部を構成するようにしてもよい。
【００３７】
なお、ガイド部におけるガイド片の開口端部に対する角度は、適宜設定できるものである。そして、ガイド片の角度によって、蓋部材の開閉時における回動距離が変化する。
【００３８】
なお、本発明は上述しかつ図面に示した実施の形態に限定されるものではなく、特許請求の範囲に記載した発明の要旨を逸脱しない範囲内で種々の変形実施が可能である。
【図面の簡単な説明】
【００３９】
【図１】本発明の収納容器の第１の実施の形態を示す分解斜視図である。
【図２】本発明の収納容器の第１の実施の形態を示す斜視図である。
【図３】本発明の収納容器の第１の実施の形態を示す断面図であり、図３Ａは蓋部材と収納部材を重ねた状態を示す断面図、図３Ｂは蓋部材を示す断面図、図３Ｃは収納部材を示す断面図である。
【図４】本発明の収納容器の第１の実施の形態に係る蓋部材と収納部材の開閉作業を示す説明図である。
【図５】本発明の収納容器の第１の実施の形態に係る突起部と係止部の係止状態を示すもので、図５Ａは係止前の状態における要部を拡大して示す説明図、図５Ｂは係止後の状態における要部を拡大して示す説明図である。
【符号の説明】
【００４０】
１…収納容器、  ２…収納部材、  ３…蓋部材、  ３ａ…上面部、  ３ｂ…側面部、  ４…口部、  ６…収納部、  ７…脚部、  ８…開放端部、  １１…段差部、  １２…溝部、  １３…ガイド部、  １３Ａ…第１のガイド片群、  １３Ｂ…第２のガイド片群、  １４…係止部、  １６…ガイド片（ガイド）、  １６ａ…第１のガイド片、  １６ｂ…第２のガイド片、  １６ｃ…第３のガイド片、  １６ｄ…第４のガイド片、  １７ａ…第１のガイド面部、  １７ｂ…第２のガイド面部、  １８…押圧部、  ２１…凸条部、  ２２…突起部、  ２２Ａ…第１の突起群、  ２２Ｂ…第２の突起群、  ２２Ｃ…第３の突起群、  ２２Ｄ…第４の突起群、  ２３…突起、  ２３ａ…第１の突起、  ２３ｂ…第２の突起、  ２３ｃ…第３の突起、  ２３ｄ…第４の突起
【図１】
2010023910.tif 000003
【図２】
2010023910.tif 000004
【図３】
2010023910.tif 000005
【図４】
2010023910.tif 000006
【図５】
2010023910.tif 000007